(57)【要約】【課題】鎌の角度を自由に調整可能にする、同時に長い持ち手（柄）取り付け可能にするものである。【解決の手段】図７，図８の点線で示した取り付け穴（９，２０）に蝶ボルト（６）により締め付けて角度調整可能にした、また図６，図７を点線で示した取り付け穴（１１，１４）をボルト（１０）又はリベット等で合体する、又図７の中間金具（４）の取り付け穴（１２）と調整長穴（１３）より蝶ボルト（７）で調整して締め付ける、調整可能にするものである。【選択図】　　　図９
2004016233.tif 000002
【特許請求の範囲】
【請求項１】
図３，図４，図５，に示す留め蝶ボルト（６）を緩めることで鎌の角度を刃の方向（逆くの字）自由に角度調整を可能にした鎌。
【請求項２】
図１，図２，の留め蝶ボルト（７）を緩めて、刃の平面を上向きに角度を自由に調整可能にした鎌。
【請求項３】
既存の鎌の持ち手（柄）を何時でも簡単に長い持ち手に交換可能にした鎌。
【発明の詳細な説明】
【０００１】
【発明の属する技術分野】
通常の鎌は田、畑、庭の草刈り、草取りに使用されておりますが、既製の鎌は鎌の方に手を合わせ使っているのが現状であり、しかし人はそれぞれ得手勝手あって、もう少しの角度を付ける事で更に切れが良くなる物で、草刈りもより能率的に作業が進むと言うものである。
【０００２】
図３，図４，図５の蝶ボルト（６）を緩めて、図２に示す様に鎌（１）を刃の方向に角度を調整する事が容易に出来る事を特徴とする。
【０００３】
もう一つの角度調整を、図１，図２の固定ボルト（１０）を軸として留めボルト（７）を緩めて図４の様に鎌（１）の角度を自由に付ける事で、草刈りも能率的で有り、使い勝手を良くする物である。
【０００４】
図９のバンド形ジョイント（２１）のパーツを用意する、バンド形ジョイント（２１）に鎌の持ちて柄（１５）を差し込む、その反対側にロング柄（２４）を差し込み蝶ボルト（２５）で締め付けて、交換を簡単にするものである。
【０００５】
【従来の技術】
従来の鎌は刃の部分と持ちてとが一体に成っているだけで、実際に使用する時は使い勝手が悪い、又人それぞれの得手があり、又人の座高などの違いでも地面と鎌の角度変わるもので、従来の鎌では使い辛さもある。
【０００６】
草刈る時、作業者が立ったまま草刈りするとき又草取りの場所が高い所とか、低い所での場合作業位置を変えなければ成らない、不便さがある。
【０００７】
【発明が解決しょうとする課題】
既製品の鎌は始めから角度が定められていて、これでは人それぞれ持ち癖があり、鎌使用する際に土地の高低によっても又大きい人小さい人によっても鎌の角度調整を可能にする事を課題とする。
【０００８】
座って草取りする人ばかりでは有りません、本発明は立って草取りするのも目的であり、草取りの場所は平地から低い所から手の届かない所まで草取りを可能ににしょうとするものである。
【０００９】
【課題を解決するための手段】
図１の鎌（１）を上向きに角度を付ける為に図６の調整金具（８）に鎌の手元（１９）を溶接します、同じく調整金具（２）のボルト穴（１４）と図７の中間金具（４）のボルト穴（１１）へ、ボルト又はリベット（１０）で合体させる、更に図６の調整長穴（１３）に蝶ボルト（７）で角度を固定します、図３の普通状態から図５のくの字状態（図１，図２の鎌（１）を上向き）を自由に角度調整が可能にできる。
【００１０】ハンドル形ジョイント（２１）に両方から鎌の持ち手（柄）（１５）とロング柄（２４）をさしこみ蝶ボルト（２５）で締め付けて使い勝手を良くする、解決手段をとするる。
【００１１】
【発明の実施の形態】
本発明は草刈の際に鎌の刃が地面に対して良い角度が条件である、つまり地面に対して平行になるのがよい、又鎌を持つ人によって手の癖も有り、人それぞれに角度を合わせる事を可能にするものである。
【００１２】
草刈の場所などの条件によっては鎌の持ち手（柄）（１５）を長くする必要が有る、普通の鎌を即座に長い持ち手（柄）（２４）に交換出来る様に考案実施したものである。
【００１３】
【発明の効果】
本発明によって鎌（１）の角度を自由に変える事で、作業性が良くなった、図１の普通の鎌の様な角度から図２の様に角度を付ける事によって、柔らかい草で多い場合に刈り込みが大きいので作業性があがる。
【００１４】
もう一つの角度、図３の鎌の背の方から見た通常の角度を図５の様な角度にする事で草刈作業の場所が低い場合とか、人の体形によっても鎌を持つ位置が高く成るから鎌（１）が地面に平行に成るので鎌（１）の刃全体使って刈り込みする事で無駄が無く能率がよい。
【００１５】
座って草刈ばかりしていると腰が痛くなるもので、長い持ち手（柄）（２４）を使用する事で解決する、又地面の低い所や手の届かない所には素早く長い持ち手（柄）（２４）に交換可能にしたので楽に作業が出来る効果がある。
【図面の簡単な説明】
【図１】通常の角度の鎌平面図。
【図２】下向き角度を付けた鎌平面図。
【図３】鎌の背の方から見た通常角度側面図。
【図４】鎌の刃の方から見た通常角度側面図。
【図５】鎌の背の方から見て角度調整した側面図。
【図６】鎌取り付け金具及び角度調整金具斜視図。
【図６Ａ】鎌取り付け金具及び角度調整金具側面図。
【図７】調整金具の中間用の斜視図。
【図８】鎌の調整金具取り付け元金具平面図。
【図９】鎌の持ちて（１５）と長い持ち手と繋いだ平面図
【図１０】バンド形ジョイント
【符号の説明】
１　鎌
２　鎌取り付け金具及び角度調整
３　中間用元金具取り付け座
４　中間用鎌取り付け金具座
５　中間金具取り付け座
６　調整用蝶ボルト
７　調整用蝶ボルト
８　刃元を取り付け座
９　調整角度及び組み合わせ穴ネジ
１０　中間金具（１１）と合体用ボルト
１１　中間金具と鎌取り付け金具と合体用ネジ穴
１２　中間金具と鎌取り付け金具と合体用ネジ穴
１３　中間金具の（１２）と組み合わせ及び調整用長穴
１４　中間金具（１１）と組み合わせボルト穴
１５　持ち手
１６　元金具（１８）と持ち手を固定する釘
１７　元金具留め釘穴
１８　元金具持ち手取り付け部
１９　鎌取り付け（溶接）部
２０　中間金具の（９）と組み合わせ穴
２１　バンド形ジョイント
２２　ジョイントの締め代（隙間、スリット）
２３　ジョイントの締め付け座
２４　長い持ち手（柄）
２５　ジョイント締め付け用蝶ボルト
【図１】
2004016233.tif 000003
【図２】
2004016233.tif 000004
【図３】
2004016233.tif 000005
【図４】
2004016233.tif 000006
【図５】
2004016233.tif 000007
【図６】
2004016233.tif 000008
【図９】
2004016233.tif 000009
【図１０】
2004016233.tif 000010
【手続補正書】
【提出日】平成14年9月18日(2002.9.18)
【手続補正１】
【補正対象書類名】図面
【補正対象項目名】全図
【補正方法】変更
【補正の内容】
【図１】
2004016233.tif 000011
【図２】
2004016233.tif 000012
【図３】
2004016233.tif 000013
【図４】
2004016233.tif 000014
【図５】
2004016233.tif 000015
【図６】
2004016233.tif 000016
【図７】
2004016233.tif 000017
【図８】
2004016233.tif 000018
【図９】
2004016233.tif 000019
【図１０】
2004016233.tif 000020
【手続補正２】
【補正対象書類名】明細書
【補正対象項目名】全文
【補正方法】変更
【補正の内容】
【発明の詳細な説明】
【特許請求の範囲】
【請求項１】図３，図４，図５，に示す留め蝶ボルト（６）を緩めることで鎌の角度を刃の方向（くの字図２示す）自由に角度調整を可能にした鎌。
【請求項２】図１，図２，の留め蝶ボルト（７）を緩めて、刃の平面を上向きに（図５に示す）角度を自由に調整可能にした鎌。
【請求項３】既存の鎌の持ち手（柄）を何時でも簡単に長い持ち手に交換可能にした鎌。
【発明の詳細な説明】
【０００１】
【発明の属する技術分野】
通常の鎌は田、畑、庭の草刈り、草取りに使用されておりますが、既製の鎌は鎌の方に手を合わせ使っているのが現状であり、しかし人はそれぞれ得手勝手あって、もう少しの角度を付ける事で更に切れが良くなる物で、草刈りもより能率的に作業が進むと言うものである。
【０００２】
図３，図４，図５の蝶ボルト（６）を緩めて、図２に示す様に鎌（１）を刃の方向に角度を自由に調整する事が容易に出来る事を特徴とする。
【０００３】
もう一つの角度調整を、図１，図２の固定ボルト（１０）を軸として留めボルト（７）を緩めて図４の様に鎌（１）の角度を自由に付ける事で、草刈りも能率的で有り、使い勝手を良くする物である。
【０００４】
図１０のバンド形ジョイント（２１）のパーツを用意する、バンド形ジョイント（２１）に鎌の持ちて柄（１５）を差し込む、その反対側にロング柄（２４）を差し込み蝶ボルト（２５）で締め付けてる、交換を簡単にするものである。
【０００５】
【従来の技術】
従来の鎌は刃の部分と持ちてとが一体に成っているだけで、実際に使用する時は使い勝手が悪い、又人それぞれの得手があり、又人の座高などの違いでも地面と鎌の角度が変わるもので、従来の鎌では使い辛さがある。
【０００６】
草刈る時、作業者が立ったまま草刈りするとき又草取りの場所が高い所とか、低い所での場合で作業位置とか体勢を変えなければ成らない、不便さがある。
【０００７】
【発明が解決しょうとする課題】
既製品の鎌は始めから角度が定められていて、これでは人それぞれ持ち癖があり、鎌使用する際に土地の高低によっても又大きい人小さい人によっても鎌の角度調整を可能にする事を課題とする。
【０００８】
座って草取りする人ばかりでは有りませんが、本発明は立って草取りするのも目的であり、草取りの場所は平地とか低い所から手の届かない所まで草取りを可能にしょうとするものである。
【０００９】
【課題を解決するための手段】
図１の鎌（１）を上向きに角度を付ける為に図６の調整金具（８）に鎌の手元（１９）を溶接します、同じく調整金具（２）のボルト穴（１４）と図７（図ａ）の中間金具（４）のボルト穴（１１）へ、ボルト又はリベット（１０）で合体させる、更に図６の調整長穴（１３）に蝶ボルト（７）で角度を固定します、図３の普通状態から図５のくの字状態（図２の鎌（１）を上向き）を自由に角度調整が可能にして解決する。
【０００１０】バンド形ジョイント（２１）に鎌の持ち手（柄）（１５）とロング柄（２４）を両方から差し込み蝶ボルト（２５）で締め付けて使い勝手を良くする、解決手段をとする。
【０００１１】
【発明の実施の形態】
本発明は草刈の際に鎌の刃が地面に対して良い角度が条件である、つまり地面に対して鎌の刃（１）が平行になるのがよい、又鎌を持つ人によって手の癖も有り、人それぞれに角度を合わせる事を可能にするものである。
【００１２】
草刈の場所などの条件によっては鎌の持ち手（柄）（１５）を長くする必要が有る、普通の鎌を即座に長い持ち手（柄）（２４）に交換出来る様に考案実施したものである。
【００１３】
【発明の効果】
本発明によって鎌（１）の角度を自由に変える事で、作業性が良くなった、図１の普通の鎌の様な角度から図２の様に角度を付ける事によって、柔らかい草で多い場合に刈り込みが大きくなるので作業性があがる。
【００１４】
もう一つの角度、図３の鎌の背の方から見た通常の角度を図５の様な（刃の平面を上向き）角度につける事で草刈作業の場所が低い場合とか、人の体形によっても鎌を持つ位置が高く成るから鎌（１）が地面に平行に成るので鎌（１）の刃全体使って刈り込みする事で無駄が無く能率がよい。
【００１５】
座って草刈ばかりしていると腰が痛くなるもので、長い持ち手（柄）（２４）を使用する事で解決する、又地面の低い所や手の届かない所には素早く長い持ち手（柄）（２４）に交換可能にしたので楽に作業が出来る効果がある。
【図面の簡単な説明】
【図１】通常の角度の鎌平面図。
【図２】鎌を下向き角度に付けた鎌平面図。
【図３】鎌の背の方から見た通常の角度側面図。
【図４】鎌の刃の方から見た通常の角度側面図。
【図５】鎌の背の方から見て角度調整した側面図。
【図６】（図ａ）鎌取り付け金具及び角度調整金具斜視図。（図ｂ）鎌取り付け金具及び角度調整金具断面図。
【図７】（図ａ）調整金具の中間用の斜視図。（図ｂ）調整金具の中間用の断面図
【図８】鎌の調整金具取り付け元金具平面図。
【図９】鎌の持ちて（１５）と長い持ち手と繋いだ平面図
【図１０】バンド形ジョイント
【符号の説明】
１　鎌
２　鎌取り付け金具及び角度調整
３　中間用元金具取り付け座
４　中間用鎌取り付け金具座
５　中間金具取り付け座
６　調整用蝶ボルト
７　調整用蝶ボルト
８　刃元を取り付け（溶接）座
９　図７金具と図８金具と組み合わせ穴ネジ
１０　図６（ａ）金具と図７（ａ）金具の組み合わせ用ボルト
１１　図６（ａ）金具と図７（ａ）金具の組み合わせ用穴ネジ
１２　図６（ａ）金具と図７（ａ）金具の組み合わせ用穴ネジ
１３　鎌取り付け金具の調整用長穴
１４　中間金具図７（図ａ）と鎌取り付け具図６（ａ）の組み合わせ穴
１５　鎌の持ち手（柄）
１６　元金具（１８）と持ち手（柄）（１５）を固定する釘
１７　元金具（１８）を固定用釘穴
１８　元金具持ち手（柄）（１５）取り付け部分
１９　鎌取り付け（溶接）部分
２０　中間金具の（９）と組み合わせ用穴
２１　バンド形ジョイント
２２　バンド形ジョイントの締め代（隙間、スリット）
２３　ジョイントの締め付け座
２４　長い持ち手（柄）
２５　ジョイント締め付け用蝶ボルト